(57)【要約】【課題】外装カバーが高コスト化・重量化することなく、画像形成装置本体に装着された状態の外装カバーの剛性が確保されて、画像読取部や電装品から生じる電波ノイズが外部に漏れる不具合が簡易かつ効率的に軽減される、画像形成装置を提供する。【解決手段】金属材料で略箱状に形成されて接地された電装品収納部５０が、画像形成装置本体１の側面の近傍に設置されている。また、外装カバー３１が、少なくとも電装品収納部５０を覆うように、画像形成装置本体１の側面に設置されている。そして、金属部材６０が、電装品収納部５０と画像読取部４の筐体４０とに電気的に接続されるように延設されるとともに、外装カバー３１の裏面に突き当たるように形成されている。【選択図】図２
2018066794.tif 000002
【特許請求の範囲】
【請求項１】
画像形成装置本体において種々の部材が保持される本体構造体と、
前記画像形成装置本体の上部に設置されて、原稿の画像情報を読み取る画像読取部と、
前記画像形成装置本体の側面の近傍に設置されて、種々の電装品を内部に収納するように金属材料で略箱状に形成されるとともに直接的又は間接的に接地された電装品収納部と、
少なくとも前記電装品収納部を覆うように前記画像形成装置本体の前記側面に設置された外装カバーと、
前記電装品収納部と前記画像読取部の筐体とに電気的に接続されるように延設されるとともに、前記外装カバーの裏面に突き当たるように形成された金属部材と、
を備えたことを特徴とする画像形成装置。
【請求項２】
前記画像読取部と前記電装品収納部に収容された前記電装品との間で電気又は／及び信号のやり取りをおこなうためのハーネスを備え、
前記ハーネスは、前記金属部材を介して前記外装カバーに対向するように配置されたことを特徴とする請求項１に記載の画像形成装置。
【請求項３】
前記金属部材は、前記外装カバーの側からみて前記ハーネスが露呈することなく前記ハーネスを覆うように略コの字状に形成された板状部材であることを特徴とする請求項２に記載の画像形成装置。
【請求項４】
前記金属部材は、当該金属部材に前記ハーネスを固定するためのクランプが設置されたことを特徴とする請求項２又は請求項３に記載の画像形成装置。
【請求項５】
前記金属部材は、前記画像形成装置本体の前記側面の幅方向中央部に配置されて、上下方向に延在するように配置されたことを特徴とする請求項１〜請求項４のいずれかに記載の画像形成装置。
【請求項６】
前記外装カバーは、樹脂材料で形成されて、前記画像読取部の側面をも覆うように形成されたことを特徴とする請求項１〜請求項５のいずれかに記載の画像形成装置。
【請求項７】
前記画像読取部と前記電装品収納部と前記金属部材とは、それぞれ、前記本体構造体に保持されたことを特徴とする請求項１〜請求項６のいずれかに記載の画像形成装置。
【請求項８】
前記金属部材は、前記外装カバーが取り外された状態の前記画像形成装置本体に対して着脱可能に設置されたことを特徴とする請求項１〜請求項７のいずれかに記載の画像形成装置。
【発明の詳細な説明】
【技術分野】
【０００１】
この発明は、複写機、プリンタ、ファクシミリ、又は、それらの複合機や印刷機等の画像形成装置に関するものである。
【背景技術】
【０００２】
従来から、複写機等の画像形成装置において、原稿の画像を読み取る画像読取部（スキャナ）が設置されたものが広く知られている（例えば、特許文献１、２参照。）。
そして、このような画像形成装置では、画像読取部が電波ノイズの発生源となることが知られている。
【０００３】
一方、特許文献３には、電子基板（電装品）から生じる電波ノイズを画像形成装置の外部に漏らさないようにすることを目的として、電子基板に対向する外装カバーの裏面の部分に、板金部材を設置する技術が開示されている。
【発明の概要】
【発明が解決しようとする課題】
【０００４】
従来の画像形成装置は、画像読取部や電装品から生じる電波ノイズが外部に漏れる不具合を簡易かつ効率的に軽減することができなかった。そのため、画像形成装置が全体的に高コスト化してしまっていた。
また、従来の画像形成装置は、画像形成装置本体に装着された状態の外装カバーの剛性を確保するために、外装カバーの裏面に多数のリブを形成するなどして、外装カバーが高コスト化・重量化してしまっていた。
【０００５】
この発明は、上述のような課題を解決するためになされたもので、外装カバーが高コスト化・重量化することなく、画像形成装置本体に装着された状態の外装カバーの剛性が確保されて、画像読取部や電装品から生じる電波ノイズが外部に漏れる不具合が簡易かつ効率的に軽減される、画像形成装置を提供することにある。
【課題を解決するための手段】
【０００６】
この発明における画像形成装置は、画像形成装置本体において種々の部材が保持される本体構造体と、前記画像形成装置本体の上部に設置されて、原稿の画像情報を読み取る画像読取部と、前記画像形成装置本体の側面の近傍に設置されて、種々の電装品を内部に収納するように金属材料で略箱状に形成されるとともに直接的又は間接的に接地された電装品収納部と、少なくとも前記電装品収納部を覆うように前記画像形成装置本体の前記側面に設置された外装カバーと、前記電装品収納部と前記画像読取部の筐体とに電気的に接続されるように延設されるとともに、前記外装カバーの裏面に突き当たるように形成された金属部材と、を備えたものである。
【発明の効果】
【０００７】
本発明によれば、外装カバーが高コスト化・重量化することなく、画像形成装置本体に装着された状態の外装カバーの剛性が確保されて、画像読取部や電装品から生じる電波ノイズが外部に漏れる不具合が簡易かつ効率的に軽減される、画像形成装置を提供することができる。
【図面の簡単な説明】
【０００８】
【図１】この発明の実施の形態における画像形成装置を示す全体構成図である。
【図２】（Ａ）画像形成装置の外観を示す概略斜視図と、（Ｂ）外装カバーが取り外された状態の画像形成装置を示す概略斜視図と、である。
【図３】画像形成装置の要部を示す概略断面図である。
【図４】金属部材の近傍を水平方向に示す概略断面図である。
【発明を実施するための形態】
【０００９】
以下、この発明を実施するための形態について、図面を参照して詳細に説明する。なお、各図中、同一又は相当する部分には同一の符号を付しており、その重複説明は適宜に簡略化ないし省略する。
【００１０】
まず、画像形成装置における全体の構成・動作について説明する。
図１及び図２において、１は画像形成装置としてのカラー複写機、３は原稿セット部３ａ（原稿台）にセットされた原稿を画像読取部４に搬送して原稿排出部３ｂに排出する原稿搬送部、を示す。
また、４は原稿の画像情報を読み取る画像読取部（スキャナ）、５は画像が形成された後の記録媒体Ｐが画像形成装置本体１から排紙されて排紙面５ａ上に載置（スタック）される胴内排紙部（胴内開放部）、６は入力画像情報に基づいたレーザ光を発する書込み部（露光部）、を示す。
また、７は転写紙等の記録媒体Ｐが収納される給紙部（給紙カセット）、１０Ｙ、１０Ｍ、１０Ｃ、１０ＢＫは各色（イエロー、マゼンタ、シアン、ブラック）に対応した作像部、１７は複数色のトナー像が重ねて転写される中間転写ベルト、１８は中間転写ベルト１７上に形成されたトナー像を記録媒体Ｐに転写する２次転写ローラ、を示す。
また、２０は記録媒体Ｐ上の未定着画像を定着する定着部、２８は各作像部１０Ｙ、１０Ｍ、１０Ｃ、１０ＢＫの現像部に各色のトナーを補給するためのトナー容器、を示す。
【００１１】
図１に示すように、画像形成装置本体１の内部において、４つの作像部１０Ｙ、１０Ｍ、１０Ｃ、１０ＢＫは、中間転写ベルト１７に対向するように並設されている。また、中間転写ベルト１７は、駆動機構によって、所定方向（図１の矢印方向であって、反時計方向である。）に走行するように構成されている。
また、胴内排紙部５は、画像形成装置本体１において少なくとも前面の一部が開口するように形成されていて、画像形成装置本体１から排紙された記録媒体Ｐが載置されるものである。胴内排紙部５の下方には、作像部１０Ｙ、１０Ｍ、１０Ｃ、１０ＢＫや、中間転写ベルト１７や、書込み部６や、給紙部７や、定着部２０、などからなる、公知の画像形成部が設けられている。また、胴内排紙部５の上方には、公知の画像読取部４や原稿搬送部３が設けられている。
【００１２】
以下、図１を参照して、画像形成装置１における、通常のカラー画像形成時の動作について説明する。
まず、原稿セット部３ａ（原稿台）にセットされた原稿は、給送ローラによって原稿搬送部３の内部に送入されると、搬送ローラによって搬送されて、画像読取部４のコンタクトガラス上に載置される。そして、画像読取部４で、コンタクトガラス上に載置された原稿の画像情報が光学的に読み取られる。
詳しくは、画像読取部４は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部で色変換処理、色補正処理、空間周波数補正処理等の処理をおこない、イエロー、マゼンタ、シアン、ブラックのカラー画像情報を得る。
その後、画像読取部４の位置で画像情報が読み取られた後の原稿は、搬送ローラによって搬送されて、原稿搬送部３の排出口から排出されて、原稿排出部３ｂの排出面上に載置（スタック）される。
【００１３】
一方、画像読取部４で読み取られたイエロー、マゼンタ、シアン、ブラックの各色の画像情報は、書込み部６に送信される。そして、書込み部６からは、各色の画像情報に基づいたレーザ光（露光光）が、それぞれ、対応する作像部１０Ｙ、１０Ｍ、１０Ｃ、１０ＢＫの感光体ドラム１１上に向けて照射される。
【００１４】
一方、各作像部１０Ｙ、１０Ｍ、１０Ｃ、１０Ｂの感光体ドラム１１は、それぞれ、図１の時計方向に回転している。そして、まず、感光体ドラム１１の表面は、帯電ローラとの対向位置で、一様に帯電される（帯電工程である。）。こうして、感光体ドラム１１上には、帯電電位が形成される。その後、帯電された感光体ドラム１１の表面は、それぞれのレーザ光の照射位置に達する。
書込み部６において、光源から画像信号に対応したレーザ光が各色に対応して射出される。レーザ光は、ポリゴンミラーに入射して反射した後に、複数のレンズを透過する。複数のレンズを透過した後のレーザ光は、イエロー、マゼンタ、シアン、ブラックの色成分ごとに別の光路を通過することになる（露光工程である。）。
【００１５】
イエロー成分に対応したレーザ光は、紙面左側から１番目の作像部１０Ｙの感光体ドラム１１の表面に照射される。このとき、イエロー成分のレーザ光は、高速回転するポリゴンミラーにより、感光体ドラム１１の回転軸方向（主走査方向）に走査される。こうして、帯電ローラにて帯電された後の感光体ドラム１１上には、イエロー成分に対応した静電潜像が形成される。
【００１６】
同様に、マゼンタ成分のレーザ光は、紙面左から２番目の作像部１０Ｍの感光体ドラム１１の表面に照射されて、マゼンタ成分の静電潜像が形成される。シアンタ成分に対応したレーザ光は、紙面左から３番目の作像部１０Ｃの感光体ドラム１１の表面に照射されて、シアン成分に対応した静電潜像が形成される。ブラック成分のレーザ光は、紙面左から４番目の作像部１０ＢＫの感光体ドラム１１の表面に照射されて、ブラック成分の静電潜像が形成される。
【００１７】
その後、各色の静電潜像が形成された感光体ドラム１１の表面は、それぞれ、現像部との対向位置に達する。そして、各現像部から感光体ドラム１１上に各色のトナーが供給されて、感光体ドラム１１上の潜像が現像される（現像工程である。）。
その後、現像工程後の感光体ドラム１１の表面は、それぞれ、中間転写ベルト１７との対向位置に達する。ここで、それぞれの対向位置には、中間転写ベルト１７の内周面に当接するように１次転写ローラ１４が設置されている。そして、１次転写ローラ１４の位置で、中間転写ベルト１７上に、感光体ドラム１１上に形成された各色のトナー像が、順次重ねて転写される（第１転写工程である。）。
【００１８】
そして、第１転写工程後の感光体ドラム１１の表面は、それぞれ、クリーニング部との対向位置に達する。そして、クリーニング部で、感光体ドラム１１上に残存する未転写トナーが回収される（クリーニング工程である。）。
その後、感光体ドラム１１の表面は、除電部の位置を通過して、感光体ドラム１１における一連の作像プロセスが終了する。
【００１９】
他方、感光体ドラム１１上の各色の画像が重ねて転写された中間転写ベルト１７の表面は、図中の矢印方向に走行して、２次転写ローラ１８の位置に達する。そして、２次転写ローラ１８の位置で、記録媒体Ｐ上に中間転写ベルト１７上のフルカラーの画像が２次転写される（第２転写工程である。）。
その後、中間転写ベルト１７の表面は、中間転写ベルトクリーニング部の位置に達する。そして、中間転写ベルト１７上の未転写トナーが中間転写ベルトクリーニング部に回収されて、中間転写ベルト１７上の一連の転写プロセスが完了する。
【００２０】
ここで、２次転写ローラ１８位置に搬送される記録媒体Ｐは、給紙部７から搬送ガイド、レジストローラ１９等を経由して搬送されるものである。
詳しくは、記録媒体Ｐを収納する給紙部７から、給紙ローラ８により給送された記録媒体Ｐが、搬送ガイドを通過した後に、レジストローラ１９（タイミングローラ）に導かれる。レジストローラ１９に達した記録媒体Ｐは、中間転写ベルト１７上のトナー像とタイミングを合わせて、２次転写ローラ１８の位置に向けて搬送される。
【００２１】
その後、フルカラー画像が転写された記録媒体Ｐは、定着部２０に導かれる。定着部２０では、定着ローラと加圧ローラとのニップにて、カラー画像が記録媒体Ｐ上に定着される。
そして、定着工程後の記録媒体Ｐは、排紙ローラ２９によって装置外に出力画像として排出された後に、胴内排紙部５の排紙面５ａ上にスタックされて、一連の画像形成プロセスが完了する。
【００２２】
以下、本実施の形態における画像形成装置１において、特徴的な構成・動作について詳述する。
先に図１を用いて説明したように、画像形成装置本体１の上部には、原稿の画像情報を読み取る画像読取部４（スキャナ）が設置されている。
また、図２、図３等を参照して、本実施の形態における画像形成装置１には、本体構造体１００や、電装品収納部５０（電装ボックス）や、外装カバー３１、３２、などが設置されている。
【００２３】
本体構造体１００は、画像形成装置本体１において種々の部材（画像形成部の各モジュールや、画像読取部４や原稿搬送部３などである。）が保持されるものである。本体構造体１００は、公知のものと同様に、金属材料からなり剛性の高い支柱、ステー、面板、などの部材が溶接やボルト・ネジ締結などによって接合されて形成されたものであって、画像形成装置１の骨組みとして機能するものである。本体構造体１００は、外部に露呈しないように、その周囲が複数の外装カバーで覆われている。
【００２４】
電装品収納部５０（電装ボックス）は、種々の電装品５１を内部に収納するように金属材料で略箱状に形成されるとともに、直接的又は間接的に接地（アース）されている。電装品収納部５０に内蔵された電装品５１としては、公知のものと同様に、画像形成装置１における種々の部材を稼働させるためのコントローラ基板や、画像情報などを処理するエンジン基板、などがある。
電装品５１（特に、コントローラ基板である。）は、電波ノイズの発生源となる。本実施の形態では、金属材料で形成された電装品収納部５０の内部に電装品５１を収納しているため、電装品５１から生じた電波ノイズの外部への漏出が確実に軽減されることになる。また、そのような効果をさらに確実にするために、電装品収納部５０は、直接的に接地されるか、本体構造体１００を介して間接的に接地されるかしている。
【００２５】
ここで、図２（Ｂ）等を参照して、本実施の形態において、電装品収納部５０は、画像形成装置本体１の側面（画像形成装置１の正面からみて右側面である。）の近傍に設置されている。これにより、電装品収納部５０（電装品５１）のメンテナンス性が向上することになる。すなわち、電装品収納部５０（電装品５１）のメンテナンスは、画像形成装置本体１の側面に設置された外装カバー３１（第１外装カバー）を取り外して、電装品収納部５０を露呈させておこなうことができる。
なお、本願において、「画像形成装置本体の側面」とは、画像形成装置本体の右側面や左側面に限らず、画像形成装置本体の正面や背面をも含むものと定義する。
【００２６】
複数の外装カバーのうち、画像形成装置本体１の側面（右側面）に設置された外装カバー３１（第１外装カバー）は、少なくとも電装品収納部５０を覆うように構成されている。
詳しくは、本実施の形態において、外装カバー３１（第１外装カバー）は、樹脂材料で形成されていて、画像読取部４の側面をも覆うように形成されている。これにより、外装カバー３１は、大型化するものの、金属材料で形成する場合に比べて軽量であるとともに、その取り外しによって開口される部分が広くなるためメンテナンス時の作業性が向上することになる。図２（Ａ）等を参照して、外装カバー３１は、その周囲に配置された複数のネジ９０によって、画像形成装置本体１（本体構造体１００）にネジ締結され固定されることになる。
なお、本実施の形態では、画像形成装置本体１の右側面（第１外装カバー３１）の下方に、第２外装カバー３２が設けられている。
【００２７】
ここで、図２〜図４を参照して、本実施の形態における画像形成装置１には、金属部材６０が、電装品収納部５０と、画像読取部４の筐体４０（金属材料で形成されている。）と、に電気的に接続されるように延設されている。
詳しくは、金属部材６０は、曲げ加工が施されて略コの字状（略Ｕ字状）に形成された板状部材（板金）であって、上下方向に延在するように配置されている。この金属部材６０は、画像形成装置１の上方に位置する画像読取部４の筐体４０と、画像読取部４から下方に離れた位置に設置された電装品収納部５０と、の間を中継するように設置されている。金属部材６０は、ネジ９１によって電装品収納部５０と画像読取部４（筐体４０）とにそれぞれネジ締結されて面接触するように構成されている。
このように、画像読取部４（筐体４０）を板状の金属部材６０を介して電装品収納部５０に導通するように構成することで、アース線や板バネなどを介して導通するように構成する場合に比べて、画像読取部４（筐体４０）を電装品収納部５０とともに確実かつ安定的に接地することができる。すなわち、金属部材６０は、強いアース性を確保するための導通部材（アース中継部材）として機能することになる。したがって、画像読取部４や電装品５１から生じる電波ノイズが画像形成装置１の外部に漏れる不具合を簡易かつ効率的に軽減することができる。
【００２８】
さらに、本実施の形態における金属部材６０は、外装カバー３１の裏面に突き当たるように形成されている。すなわち、図２（Ａ）、図３、図４に示すように、画像形成装置本体１に外装カバー３１が装着された状態のとき、金属部材６０は、外装カバー３１の裏面に接触する（又は、外装カバー３１の裏面に対して微小な隙間を形成して対向する）ことになる。
これにより、外装カバー３１は、その裏面に多数のリブを形成するなどしてカバー自体の剛性を高めなくても、画像形成装置本体１に装着された状態で金属部材６０によって支持されるため、外装カバー３１の剛性を高めることができる。すなわち、金属部材６０は外装カバー３１の補強部材として機能することになり、外装カバー３１が高コスト化・重量化することなく、画像形成装置本体１に装着された状態の外装カバー３１の剛性を確保することができる。
特に、本実施の形態では、図４に示すように、金属部材６０が略コの字状に形成されているため、平面状に形成する場合に比べて、金属部材６０自体の機械的強度を高めることができて、上述した補強部材としての機能がさらに向上することになる。
さらに、そのように外装カバー３１の剛性が確保されることで、外装カバー３１に外力が加わって外装カバー３１が変形する不具合も低減されるため、外装カバー３１の質感も向上することになる。
【００２９】
ここで、図２（Ｂ）を参照して、金属部材６０は、画像形成装置本体１の側面（右側面）の幅方向中央部に配置されている。すなわち、画像形成装置本体１において、図２に示す座標のＹ方向（幅方向）のほぼ中央に、電装品収納部５０とともに金属部材６０が配置されている。
これにより、外装カバー３１は、その幅方向中央部が金属部材６０によってバランス良く支持されることになるため、幅方向端部に金属部材が配置される場合に比べて、上述したような外装カバー３１の剛性を高める効果（変形を低減する効果）がさらに確実に発揮されることになる。
また、本実施の形態では、金属部材６０は、外装カバー３１の高さ方向の中央部に対応する位置を含む、上下方向の比較的広い範囲に配置されているため、上述したような効果がさらに確実に発揮されることになる。
【００３０】
また、本実施の形態では、画像読取部４と電装品収納部５０と金属部材６０とが、それぞれ、本体構造体１００に保持されている。
詳しくは、画像読取部４は、本体構造体１００における正面側の側板と背面側の側板とに挟まれるように、ネジ締結により固定保持されている。また、電装品収納部５０は、本体構造体１００における水平板に載置された状態で、水平板から起立する垂直板に突き当てた状態で、ネジ締結により固定保持されている。さらに、金属部材６０は、そのように本体構造体１００に直接的に保持された画像読取部４と電装品収納部５０とに保持されて、本体構造体１００に対して間接的に保持されている。
このように構成することにより、本体構造体１００は積極的に接地されているため、画像読取部４と電装品収納部５０と金属部材６０とのアース性も高められることになる。
【００３１】
また、図２（Ｂ）を参照して、本実施の形態において、金属部材６０は、外装カバー３１が取り外された状態の画像形成装置本体１に対して着脱可能に設置されている。
すなわち、金属部材６０は、本体構造体１００や画像読取部４や電装品収納部５０とは別体（別部品）であって、外装カバー３１が取り外された状態で、ネジ９１の取り外しをおこなうことで画像形成装置本体１に対して単体で簡単に着脱できるように構成されている。
これにより、導通部材と補強部材との両方として機能する金属部材６０を設けた場合であっても、画像形成装置１の組立性やメンテナンス性がほとんど低下することはない。
【００３２】
また、図２（Ａ）、図３、図４を参照して、本実施の形態における画像形成装置１には、画像読取部４と電装品収納部５０に収容された電装品５１との間で電気や信号のやり取りをおこなうためのハーネス７０が設けられている。すなわち、ハーネス７０は、画像読取部４における電装品と、電装品収納部５０における電装品５１と、の間を中継するように接続されている。
このようなハーネス７０は、電気や通信のやり取りが多くて、画像読取部４や電装品５１と同じように、電波ノイズの発生源となる。これに対して、本実施の形態では、ハーネス７０が金属部材６０を介して外装カバー３１に対向するように配置されているため、ハーネス７０で生じた電波ノイズが画像形成装置１（外装カバー３１）の外部に漏れにくくなる。具体的に、外装カバー３１の側から投影してみたときに、ハーネス７０が金属部材６０の対向面（外装カバー３１に対向する対向面である。）からはみ出ないように構成されている。
【００３３】
特に、図４に示すように、本実施の形態において、金属部材６０は、外装カバー３１の側からみて、ハーネス７０が露呈することなくハーネス７０を覆うように略コの字状に形成されている。具体的に、略コの字状に形成された金属部材６０の両端の起立部は、その起立方向の長さが、ハーネス７０の線径（外径）よりも大きくなるように形成されている。そして、略コの字状の金属部材６０の凹部に、ハーネス７０が入り込むように配置されている。
これにより、ハーネス７０で生じた電波ノイズが画像形成装置１（外装カバー３１）の外部に漏れにくくなる効果がさらに確実に発揮されることになる。
【００３４】
また、図４等を参照して、本実施の形態において、金属部材６０には、金属部材６０にハーネス７０を固定するためのクランプ６５が設置されている。
詳しくは、クランプ６５は、公知のものと同様に嵌合部６５ａが形成されていて、この嵌合部６５ａを金属部材６０の穴部に密着して嵌合させることで、金属部材６０にクランプ６５が固定される。そして、クランプ６５の主部にハーネス７０を保持させることで、金属部材６０に対してハーネス７０の位置がばらつくことなく、その位置が定められることになる。
これにより、略コの字状の金属部材６０からハーネス７０がはみ出す不具合が確実に防止できるため、ハーネス７０で生じた電波ノイズが画像形成装置１（外装カバー３１）の外部に漏れにくくなる効果が確実に発揮されることになる。
なお、金属部材６０に設置するクランプ６５の位置や数は、上述したクランプ６５の機能を考慮して、金属部材６０（ハーネス７０）の長さに応じて最適化することが好ましい。
また、本実施の形態では、図３、図４に示すように、外装カバー３１の裏面に、クランプ６５の嵌合部６５ａや、ネジ９１との干渉を避けるための凹部（逃げ部）が設けられている。これにより、嵌合部６５ａやネジ９１が、上述した金属部材６０と外装カバー３１との突き当てに影響する不具合を防止することができる。
【００３５】
以上説明したように、本実施の形態における画像形成装置１は、金属材料で略箱状に形成されて接地された電装品収納部５０が、画像形成装置本体１の側面の近傍に設置されている。また、外装カバー３１が、少なくとも電装品収納部５０を覆うように、画像形成装置本体１の側面に設置されている。そして、金属部材６０が、電装品収納部５０と画像読取部４の筐体４０とに電気的に接続されるように延設されるとともに、外装カバー３１の裏面に突き当たるように形成されている。
これにより、外装カバー３１が高コスト化・重量化することなく、画像形成装置本体１に装着された状態の外装カバー３１の剛性が確保されて、画像読取部４や電装品５１から生じる電波ノイズが外部に漏れる不具合を簡易かつ効率的に軽減することができる。
【００３６】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００３７】
１  画像形成装置（画像形成装置本体）、
４  画像読取部（スキャナ）、
３１  外装カバー（第１外装カバー）、
３２  第２外装カバー、
４０  筐体（画像読取部の筐体）、
５０  電装品収納部（電装ボックス）、
５１  電装品、
６０  金属部材、
６５  クランプ、
６５ａ  嵌合部、
７０  ハーネス（ケーブル）、
９０、９１  ネジ、
１００  本体構造体。
【先行技術文献】
【特許文献】
【００３８】
【特許文献１】特開２０１５−１３２８３１号公報
【特許文献２】特開平９−２７０８７７号公報
【特許文献３】特開２００５−８４４９７号公報
【図１】
2018066794.tif 000003
【図２】
2018066794.tif 000004
【図３】
2018066794.tif 000005
【図４】
2018066794.tif 000006